(57)【要約】【課題】撮影室内に位置する被撮影者を適切なる拡散光（連続階調のやわらかい）で選択的に照明することにより、観察上、良好なる品質の人物写真を容易に得ることができる写真撮影装置を得ること。【解決手段】ボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、該撮影室の天井には、該被撮影者を照明する為の照明手段が設けられており、該天井に設けた照明手段は、複数の発光部と該複数の発光部からの光束を拡散させる拡散部材と該複数の発光部からの光束の一部を遮光する遮光部材とを有していることを特徴とする写真撮影装置。【選択図】        図１
2005055539.tif 000002
【特許請求の範囲】
【請求項１】
ボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、
該撮影室の天井には、被撮影者を照明する為の照明手段が設けられており、該天井に設けた照明手段は、複数の発光部と該複数の発光部からの光束を拡散させる拡散部材と該複数の発光部からの光束の一部を遮光する遮光部材とを有していることを特徴とする写真撮影装置。
【請求項２】
前記複数の発光部は、前記撮影室内の被撮影者の位置を基準としたとき、左右方向又は／及び奥行き方向に非対称に配置していることを特徴とする請求項１の写真撮影装置。
【請求項３】
前記遮光部分の遮光パターンは、前記撮影室内の被撮影者の位置を基準としたとき、左右方向又は／及び奥行き方向に非対称であることを特徴とする請求項１又は２の写真撮影装置。
【請求項４】
前記撮影室内には、前記天井以外に、前記被撮影者を照明する１以上の照明手段が設けられており、こうち少なくとも１つの照明手段は、発光部と該発光部から放射される光束を拡散透過させる拡散部材と、該発光部からの光束の一部を遮光する遮光部材とを有していることを特徴とする請求項１、２又は３の写真撮影装置。
【請求項５】
前記撮影室内には種々の照明条件で撮影したときに得られる複数の写真データを表示する表示手段と、照明条件を変える為の入力信号を入力する入力手段と、が設けられていることを特徴とする請求項１から４のいずれか１項の写真撮影装置。
【請求項６】
前記入力手段からの入力信号により、前記照明手段の照明条件を変えて、前記撮影室内の照度分布を切り換える制御手段を有していることを特徴とする請求項１から５のいずれか１項の写真撮影装置。
【請求項７】
前記天井に設けられた照明手段の複数の発光部はストロボであり、該複数のストロボのうち１以上のストロボは、光出射面が前記拡散部材と非対向して配置され、その他の１以上のストロボは光出射面が天井方向に向けられて配置されていることを特徴とする請求項１から６のいずれか１項の写真撮影装置。
【請求項８】
前記撮影室内の撮影空間の照度分布が非対称となるように設定していることを特徴とする請求項１から７のいずれか１項の写真撮影装置。
【発明の詳細な説明】
【０００１】
【発明の属する技術分野】
本発明は、ボックス内の被撮影者を自動撮影するための自立ボックス型の写真撮影装置（証明写真装置）に関し、特に被撮影者の照明条件を適切に設定することにより、観察上良好なる品質の静止画の証明写真が得られるものである。
【０００２】
【従来の技術】
従来より、身分証明書、会員証、パスポート、運転免許証、学生証用等の証明写真を得る又、プリクラと呼称する簡易な写真を得る自動販売機タイプの写真撮影装置が種々と提案されている（例えば特許文献１〜３）。
【０００３】
この種の写真撮影装置は、自立型のボックス（ブース）に被撮影者が占有する空間（撮影室）と、撮影に必要な各種の機器が収納される空間（機器格納室）が仕切板によって形成されている。又、プリクラタイプの場合は、一般的に簡単なビニールシートにより撮影室は仕切られている。
【０００４】
ボックス内に配置する撮影に必要な機器としては、例えば被撮影者を照明する照明手段、被撮影者を撮影する為の撮影手段（ＣＣＤカメラ、デジタルカメラ）、撮影手段で撮影した画像情報をプリント処理（画像処理）する為のプリント手段、プリント手段でプリントされた証明写真をボックス外部に設けた写真取り出し口に出力する出力手段、そして各種の手段を制御する制御手段（マイコン）等が含まれる。
【０００５】
ボックス型とプリクラのような簡易ボックス型に分けると、ボックス型は被撮影者が、ボックスの撮影室内の椅子に座り、入力手段で撮影に関する各種の情報（例えば撮影枚数、写真の大きさ、形状等）を入力する。
【０００６】
そして制御手段は、入力手段の入力情報に基づいて被撮影者の主に顔を中心とする正面向き上半身像を撮影し、その結果得られた証明写真を写真取り出し口に出力する。
【特許文献１】
特開２００２−２８１３２６
【特許文献２】
特開２００２−０２３２５６
【特許文献３】
特開２００１−２０９１１６
【０００７】
【発明が解決しようとする課題】
従来のボックス型の写真撮影装置では、被撮影者の正面向き上半身像を撮影しており、このときの被撮影者を照明する照明手段は、光源の種類、数、光束発散状態等の照明条件が予め制御手段で特定されていた。このときの被撮影者を照明する為の照明光の光質やそれらの組み合わせ、そしてライティング方式等の照明条件は良質な証明写真を得る為の条件として、被撮影者に対して十分配慮されていなかった。
【０００８】
この為、現在市場に存在するボックス型の自動写真撮影装置の多くで得られる写真は、その写真の人物写真としての品質において写真撮影業者が営業する技術で撮影した写真に比較し、品質が著しく劣っていた。
【０００９】
又撮影室内の照明条件は、一定であり被撮影者は自分の好みに合った写真を得ることができなかった。
【００１０】
本発明は、撮影室内に位置する被撮影者を被撮影者の好みに合った写真（証明写真、人物写真）が得られるような適切な拡散光（連続階調のやわらかい光）で照明することにより、被撮影者の好みに合った写真を容易に得ることができるボックス型の写真撮影装置の提供を目的とする。又、拡散光の被撮影者への照明バランスを切り替えることにより、異なる照明効果の写真が得られる写真撮影装置の提供を目的とする。
【００１１】
この他、本発明は、ポートレートライティング技法を利用することにより、撮影室内に位置する被撮影者を、照度の強弱差が少なく、かつ光強度分布が連続して変化する高拡散度の拡散光、所謂「連続階調の軟らかい光」で照明することにより、明暗のコントラストの低い良好なる品質の証明写真（人物写真）が容易に得られる写真撮影装置の提供を目的とする。
【００１２】
【課題を解決するための手段】
請求項１の発明の写真撮影装置は、ボックス内に、被撮影者が位置する撮影室と、該撮影室に位置する被撮影者を撮影手段で撮影し、該撮影手段で得た画像を処理し出力する画像処理機器とを収納した機器格納室とを有する写真撮影装置において、
該撮影室の天井には、被撮影者を照明する為の照明手段が設けられており、該天井に設けた照明手段は、複数の発光部と該複数の発光部からの光束を拡散させる拡散部材と該複数の発光部からの光束の一部を遮光する遮光部材とを有していることを特徴としている。
【００１３】
請求項２の発明は、請求項１の発明において前記複数の発光部は、前記撮影室内の被撮影者の位置を基準としたとき、左右方向又は／及び奥行き方向に非対称に配置していることを特徴としている。
【００１４】
請求項３の発明は、１又は２の発明において前記遮光部分の遮光パターンは、前記撮影室内の被撮影者の位置を基準としたとき、左右方向又は／及び奥行き方向に非対称であることを特徴としている。
【００１５】
請求項４の発明は、１、２又は３の発明において前記撮影室内には、前記天井以外に、前記被撮影者を照明する１以上の照明手段が設けられており、こうち少なくとも１つの照明手段は、発光部と該発光部から放射される光束を拡散透過させる拡散部材と、該発光部からの光束の一部を遮光する遮光部材とを有していることを特徴としている。
【００１６】
請求項５の発明は、１から４のいずれか１項の発明において前記撮影室内には種々の照明条件で撮影したときに得られる複数の写真データを表示する表示手段と、照明条件を変える為の入力信号を入力する入力手段と、が設けられていることを特徴としている。
【００１７】
請求項６の発明は、請求項１から５のいずれか１項の発明において前記入力手段からの入力信号により、前記照明手段の照明条件を変えて、前記撮影室内の照度分布を切り換える制御手段を有していることを特徴としている。
【００１８】
請求項７の発明は、請求項１から６のいずれか１項の発明において前記天井に設けられた照明手段の複数の発光部はストロボであり、該複数のストロボのうち１以上のストロボは、光出射面が前記拡散部材と非対向して配置され、その他の１以上のストロボは光出射面が天井方向に向けられて配置されていることを特徴としている。
【００１９】
請求項８の発明は、請求項１から７のいずれか１項の発明において前記撮影室内の撮影空間の照度分布が非対称となるように設定していることを特徴としている。
【００２０】
【発明の実施の形態】
図１は、本発明の実施形態１の要部斜視図、
図２は、本発明の実施形態１の要部平面図、
図３〜図７は、図１の一部分の説明図である。
【００２１】
図中、１は証明写真や静物写真、品物（物品）等を得る為の写真撮影装置であり、外形が略箱
状（ボックス形状）より成っている。
【００２２】
２は仕切板であり、箱状のボックス内３を被撮影者４が位置する空間（撮影室）５とデジタルスチルカメラやビデオカメラ等の撮影手段８や画像処理機器１６等を収納する空間（機器格納室）６に分割している。
【００２３】
７は仕切板２に設けた撮影用の窓部であり、ハーフミラー７ａが設けられており、該窓部７のハーフミラー７ａを介して撮影手段（カメラ）８によって被撮影者４の正面上半身を撮影している。又、ハーフミラー７ａを介して各種情報が被撮影者４に観察されるようになっている。
【００２４】
１１〜１３は各々照明手段（照明装置）であり、天井部と仕切板２の下方中央部そして空間５の被撮影者４が位置する後方中央部に設けており、被撮影者４を照明している。照明手段１１〜１３の詳細な構成については後述する。
【００２５】
仕切板２又は照明手段１２の一部には種々の照明条件で撮影した複数の写真データがサンプルとして表示手段９ａに示されている。
【００２６】
９は照明手段１２の上側の面に設けた撮影操作用の操作部材（入力手段）であり、被撮影者４が表示手段９ａに表示した写真データを参照し、目的に合った又は自分の好みに合った写真が得られるデータを入力する。
【００２７】
１０は料金納入口である。
【００２８】
１４は椅子であり、被撮影者４が座り、被撮影者４は背当り（不図示）に当接して窓部７を直視するようにしている。２６は遮光部であり撮影室５の側面又は背面の一部に設けて被撮影者４を照明する光束が軟らかな光となるようにしている。
【００２９】
撮影手段８は、単一焦点距離レンズ又はズームレンズを有し、それによって被撮影者４を撮像素子（ＣＣＤ）で撮影し、画像信号（画像情報）に変換し、記録媒体（ハードディスク等）に記録している。
【００３０】
撮像素子からの画像情報は、画像処理機器１６に入力される。
【００３１】
画像処理機器１６は、公知の各種の処理手段を有し、撮像素子８ａからの画像信号（電気信号）を処理している。
【００３２】
１５は制御手段を含むパソコンで各種の動作を制御している。
【００３３】
制御手段は入力手段９からの入力信号に基づいて、照明手段による撮影室５内の照明条件を切り換えている。
【００３４】
１６はファンでなり、機器格納室６内の空気を換気している。
【００３５】
画像処理としては
例えば、カラー写真のときには、
撮影手段８で得られた画像情報を色の３原色であるＣ（シアン）、Ｍ（マゼンタ）、Ｙ（イエロー）に変換し、この変換された色データに基づいてカラー画像情報を形成している。
【００３６】
そしてプリント手段によってカラー画像情報をプリントして写真取り出し口１７に出力している。
【００３７】
本実施形態では、被撮影者４を照明する為に撮影室５内に３つの照明手段１１〜１３を用いるが２つ以上いくつあっても良い。
【００３８】
照明手段１１〜１３からの拡散光を撮影室５内の壁面と天井に入射させ、壁面及び天井が新たな面光源となって面光源からの拡散光で被撮影者４を照明するようにしている。
【００３９】
照明手段１１〜１３からの光束で被撮影者４を左右非対称で連続階調の軟らかい光束で照明している。尚、入力手段９からの入力信号に基づいて左右対称となるように照明しても良い。
【００４０】
本実施形態における照明光はコンピュータ（不図示）によるシュミレーションや実験等によって被撮影者４が位置する後述する撮影空間内の領域でハイライト（光の強い領域）からシャドー（光の弱い領域）までの階調（トーン）が絞り値で１０分の１から２分の１以内となるようにしている。即ち、露光差で最大でも２分の１以下となるようにしている。
【００４１】
このような、照明光で撮影された被写体（被撮影者）の画像情報は、画像処理機器１６内の写真処理工程（画像処理工程）において、トーンカーブ、濃度、カラーバランスを調整し、シャープネス調整（鮮鋭度調整）を行いプリントし、出力している。
【００４２】
次に本実施形態で用いている照明手段１１〜１３について説明する。
【００４３】
便宜上図１〜図３に示すように、撮影室５内の各方向を被撮影者４の位置を中心として、左右方向（Ｘ方向）、（Ｗ）、奥行き方向（Ｙ方向）、（Ｌ）、高さ方向（Ｚ方向）、（Ｈ）と呼ぶ。
【００４４】
図５（Ａ）、（Ｂ）は、図１の天井に設けた照明手段１１の説明図である。
【００４５】
照明手段１１は、図５（Ｂ）に示すように左右方向に配置した５本の蛍光灯Ｌ１〜Ｌ５と奥行き方向で撮影室５の後方に配置した１本の蛍光灯Ｌ６とを有している。
【００４６】
蛍光灯Ｌ１〜Ｌ６と被撮影者４との間は拡散板（乳白色グラスファイバーディフューザー）２４で仕切っている。
【００４７】
又拡散板２４の一部には蛍光灯からの光束が被撮影者４に直接入射するのを少なくする為の遮光部材２５を一体的に又は独立に設けている。
【００４８】
照明手段１１を構成する６本の蛍光灯Ｌ１〜Ｌ６のうち蛍光灯Ｌ５は撮影室５の入口近倍に配置され、蛍光灯Ｌ１〜Ｌ４は略等間隔で蛍光灯Ｌ５から離して配置している。
【００４９】
尚、本実施形態において蛍光灯の数は２以上いくつあっても良い。蛍光灯Ｌ１〜Ｌ５の光出射面（拡散面又は非拡散面より成る）に遮光部１１ａを奥行き方向（Ｌ方向）が非対称となるように部分的に設けている。
【００５０】
蛍光灯Ｌ１〜Ｌ５に設けている遮光部１１ａのパターンと蛍光灯に設ける位置は全て同一となっているが各蛍光灯で異なるようにしても良い。
【００５１】
蛍光灯Ｌ６にも光出射面に、遮光部１１ｂを左右方向（Ｗ方向）が非対称となるように部分的に設けている。
【００５２】
図５（Ａ）に示すように拡散板２４の一部に遮光部材２５を設け、このとき遮光部材２５の光遮光部のパターンが左右方向（Ｗ）と奥行き方向（Ｌ）での少なくとも一方で非対称となるようにしている。
【００５３】
遮光部材のパターンはコンピュータによるシュミレーションや実験によって求めている。
【００５４】
これによって蛍光灯Ｌ１〜Ｌ６から出射し、拡散板２４を介し、被撮影者４に直接入射する光が少なくなるようにし、被撮影者４に柔らかい光が照射されるようにしている。尚、遮光部１１ａ、１１ｂ、遮光部材２５は光を完全に遮光する場合に限らず、例えば透過率で０〜５０％（好ましくは０〜７０％）の範囲内のものが適用可能である。
【００５５】
図６は照明手段１２の要部斜視図である。
【００５６】
照明手段１２は１本の蛍光灯１２ａを有し（尚２以上あっても良い。）、蛍光灯１２ａからの光束は光出射面に設けた拡散板１２ｂを介して被撮影者４の下方部分を照射している。
【００５７】
照明手段１２は、撮影室５の前方下方に設けている。照明手段１２からの拡散板１２ｂを介した光束は、撮影室５の壁面で拡散反射して被撮影者４の上半身を間接的に照明するようにしている。拡散板１２ｂには、遮光部を設けていないが、必要に応じて拡散板１２ｂからの光束の照射強度が非対称となるように遮光部を設けても良い。
【００５８】
尚、入力手段９は照明手段１２の一部に設けているが、仕切板２の一部に設けても良い。
【００５９】
図７は照明手段１３の要部斜視図である。
【００６０】
照明手段１３は１本の蛍光灯１３ａを有し（尚２以上あっても良い。）、上方の光出射面１３ｂには拡散板１３Ｃと遮光部１３ｄを設けている。被撮影者４の後方に設ける照明手段１３は、被撮影者４に直接光束が照射されないように光出射面１３ｂが上方（天井）に向いている。上方へ出射する光束は、拡散板１３Ｃを介して出射させている。更に撮影空間内における左右方向の照度分布が左右非対称となるように左右方向の光束が出射できる開口部が左右非対称となるように遮光部１３ｄを設けている
。
【００６１】
本実施形態では、撮影室５内の撮影空間を図２〜図４に示すように高さ方向をＨ、幅方向をＷ、奥行き方向をＬとしたとき、
高さ方向は０．３Ｈ〜０．８Ｈ
幅方向（左右方向）は０．２Ｗ〜０．８Ｗ
奥行き方向は０．４Ｌ〜０．９Ｌ
の空間としている。そしてこの空間を撮影空間５ａとし、その内の照度分布が絞り値で表示するとき、２分の１〜１０分の１の絞り値（１絞りが強度で２分の１又は２倍に相当）の範囲内となるように照明手段１１〜１３と、それらの位置、光束の出射、配光特性、拡散特性等を前述の如く設定している。
【００６２】
更に幅方向（Ｗ方向）において、左右対称又は左右非対称の照度分布となるように照明手段の数、位置、配光特性、拡散特性等を設定している。
【００６３】
撮影室５の壁面は、照明手段からの光束が拡散反射するように白色塗料が施されている。このとき壁面は微小な凹凸部より成る拡散面とし、この拡散面に白色塗料を施しても良い。照明手段１１〜１３の光出射面に遮光部を設ける代わりに、蛍光灯と光出射面との間又は／及び蛍光灯の管面に設けても良い。入力手段９からの入力信号によって、被撮影者４の照明条件を変化させる場合には蛍光灯と光出射面に設ける遮光部との相対的位置を変化させるように、遮光部を駆動手段で変移可能とする他、照明手段の位置を変えても良い。
【００６４】
本実施形態では、照明手段１１〜１３は、３６Ｗの長尺形状の色温度５０００°Ｋに相当する程度の蛍光灯を用いている。光射出面側に遮蔽物を蛍光灯との相対的位置が不変又は可変となるように装着している。
【００６５】
拡散板（ディフューザー）は色温度の影響が少ない材料を用いている。
【００６６】
遮蔽物を駆動させる場合には駆動手段を照明手段の一部に設けるのが良い。遮蔽物は光透過部と光不透過部とを任意の間隔で相互に配列して構成しており、蛍光灯に対する位置を変化させることにより蛍光灯から射出される光の強弱を制御して被撮影者に照射し、得られる写真の階調を制御している。
【００６７】
尚、本実施形態において遮蔽物の代わりに又は、遮蔽物とともに拡散板を蛍光灯の光出射面側に移動可能に設けても良い。このときの拡散板は、光拡散特性が同一の１種類のものの他に光拡散特性が異なる複数の拡散板を組み合わせ光出射側に配置したものを使用しても良い。
【００６８】
照明手段で照明させる光束のホワイトバランスを調整する為に、光源の光出射面側に色温度調整用のフィルターを移動可能又は固定に設けても良い。
【００６９】
画像処理機器１６内にはマイコンが収納されており、ボックス内の撮影条件、照明条件等に合わせて、照明手段１１〜１３の配置や照射条件そして画像処理工程を調整している。
【００７０】
本実施形態では、被撮影者を左右非対称の照明分布の光束で照明する為に、ボックス内の上方の天井に設ける照明手段１１の各蛍光灯は天井に、左右方向（Ｗ）、奥行き方向（Ｌ）で非対称となるようにしている。
【００７１】
又照明手段１２、１３はボックス内の中央前方下側と中央後方下側に配置している。これらの３つの照明手段１１〜１３の配置は、撮影者を左右非対称に照明することができる方法であれば、配置条件は任意である、尚照明手段を移動又は回動可能に構成しても良い。３つの照明手段１１〜１３に用いる蛍光灯は同一又は異なっていても良い。少なくとも１つの照明手段から出射する光束の照明条件が可変となるように構成しても良い。又ボックス内に配置する照明手段を照明手段１１のみとしても良い。
【００７２】
被撮影者が希望する画質の証明写真が得られるように被撮影者が入力手段９からサンプル写真（種々の照明条件で撮影した複数の写真データ）を参考にして入力しそれに基づいて制御手段が照明手段の照明条件を変えて（例えば、点灯する蛍光灯の選択又は蛍光灯と遮蔽物との相対位置関係を変えて）撮影するようにしている。
【００７３】
一般に空間５内の撮影空間内の照明を被撮影者４に対して、照射位置の光強度の強弱差の大きな光、所謂硬い光束で照射すると、得られる人物写真は画質が観察上あまり良くない。
【００７４】
そこで本実施形態では前述の如く照明手段の数及び配置そして照明手段から放射される光束の拡散状態を適切に設定することによって左右非対称の連続階調の光束を創出するようにしている。
【００７５】
照明手段に用いる光源としては、蛍光灯、白昼擬似灯、タングステン灯、スピードライト（以下「ストロボ」ともいう）等が適用できる。これらのいずれの光源を用いても光源手段からの拡散度を別手段で調整すれば連続階調のやわらかい光、即ちポートレートにおいて「ゴールデンタイム」と言われる朝の日の出又は日の出直後、夕方の日没直前の光を再現することができる。ことのときボックス内の撮影空間内で光源から放射させる光束の拡散状態及び照明手段の配置等をあまり変化させないで良い。
【００７６】
本実施形態では、撮影空間５ａ内で照明手段からの光を、天井の拡散板２４や壁面等の拡散面で拡散させこれらの天井や壁面が全体として面光源となるようにし、この拡散反射を撮影空間５ａ内で多数行い、これらの多数の拡散反射した光で被撮影者を照明するようにしている。本実施形態では、このようなハイエストライトからディープシャドウへ至る階調光を、撮影室５ａ内で、光源として点光源ではなく、面光源を用いて得ている。
【００７７】
尚、一部の蛍光灯の代わりに複数のストロボをボックス内の複数位置に配置し、各ストロボから放射される光束を制御するようにしても良い。光源からの光束を柔らかい光に変換する方法としては光源からの強い光（被写体又は被撮影者に対して光強度の強弱の差が大きい）を拡散板や遮蔽部材等で覆うことにより、該拡散板で光を拡散させ、また直射光ではなく反射光として間接光に変えることにより、拡散度の高い柔らかい光（被写体又は被撮影者に対する光強度の強弱の差が小さい）を創出している。そしてより柔らかい光を創出するにこれを繰り返している。これによって弱く柔らかい光ができたら所謂ゴールデンタイムの光の創出に不要な光を部分的にカットしている。本実施形態では、これにより連続階調の美しいポートレートライトと表現する高い拡散度の光を創出している。
【００７８】
本実施形態は、このような照明手段をボックス型の自動写真撮影装置に適用し、良好に観察できる画質を有する人物写真（証明写真）を得ている。
【００７９】
本実施形態では、以上のように撮影室内５の狭い限られた空間の中に、ポートレート撮影で所謂「ゴールデンタイム」と呼ばれる日没前の美しい光、自然光の中にある軟らかな光を再現し、その光のバランスを微妙に変化させて、被撮影者がほっそりとみえたり、美白になったり、ふっくらとみえたりする光を、自分で自由に入力手段９からの入力信号で選びながら撮影している。
【００８０】
本実施形態では、以上のような構成をとることによって
・  被撮影者４の顔がきれいに写る。
・  被撮影者がメガネをかけていてもメガネが光らない。
・  照明光の人工的なイメージがない。
・  得られた写真の諧調が美しい。
等の効果を得ている。
【００８１】
本実施形態では具体的に被撮影者に対して次の５種類の特徴を有した照明状態で撮影している。
【００８２】
【表１】
2005055539.tif 000003
【００８３】
本実施形態では、以上の構成において照明手段１１〜１３を構成する蛍光灯Ｌ１〜Ｌ８のうち任意の複数の蛍光灯を表−１に示す如く点灯させて被撮影者４を撮影した。
【００８４】
この結果、いずれにおいても良好なる画質の写真が得られた。
【００８５】
【表２】
2005055539.tif 000004
【００８６】
尚本実施形態において照明手段１１〜１３に用いる光源として蛍光灯の代わりにストロボを用いても良い。又一部の照明手段に光源として蛍光灯を用い他の照明手段に光源としてスピードライトを用いても良い。
【００８７】
本実施形態において、照明手段に蛍光灯の代わりにストロボを用いるときには、照明状態を良好に維持する為に照明手段１１〜１３を次のように設置するのが良い。
【００８８】
照明手段１１では蛍光灯Ｌ１〜Ｌ６が設置されている複数の位置のうち、２以上の位置に複数のストロボを、一部（１以上）のストロボをその光出射面が拡散板２４に向け、他の一部（１以上）のストロボをその光出射面が拡散板２４に対し非対向（斜方向や送方向を含む）となるように向けて配置するのが良い。
【００８９】
又１以上のストロボを光出射面が天井方向に向けて配置するのが良い。
【００９０】
照明手段１２ではストロボをその光出射面が拡散板１２ｂに対し非対向となるように配置するのが良い。
【００９１】
照明手段１３では、ストロボをその光出射面が拡散板１３ｃに対して非対向となるように配置するのが良い。
【００９２】
図８（Ａ），（Ｂ）は、本実施形態で用いるストロボ１１ａ３の説明図である。
【００９３】
本実施形態におけるストロボ１１ａ３は、光源体１１ａ３１と、光源体１１ａ３１からの光束を拡散させる１つ以上の拡散板（ディフューザー）１１ａ３２、１１ａ３３と出射光の光強度を調整するＮＤフィルター１１ａ３４とを有している。
【００９４】
ＮＤフィルター１１ａ３４は光強度が不足するときは設けなくても良い、又、ＮＤフィルター１１ａ３４には部分的に遮光部を設けて光出射条件を変えている。照明手段１１〜１３に設けるストロボは、拡散板やＮＤフィルター等の数や拡散特性が互いに異なっていても良く、又全て同一の構成であっても良い。
【００９５】
図９は、本発明の実施形態２の撮影室の要部斜視図、図１０は図９の一部分の説明図である。
【００９６】
実施形態２は実施形態１に比べて、照明手段１１の光源部にストロボを用いた点が異なっている。本実施形態では複数の照明手段の照明条件を入力手段からの入力信号に基づいて変えている。撮影室５の天井部分には４つのストロボ３１ａ，３１ｂ，３１ｃ，３１ｄを設けている。照明手段３１は、複数のストロボ（図９では４つのストロボ３１ａ，３１ｂ，３１ｃ，３１ｄを用いているが２つ以上いくつでも良い。）と拡散板（乳白色グラスファイバーディフューザー）２４とを有している。本実施形態では照明手段３１を４つのストロボより構成し、４つのストロボをその光出射面が天井方向に対し垂直又は所定の角度（天井と光出射面の法線とのなす角度が９０°〜４５°）を有して配置している。図１０は１つのストロボ３１ｃを例にとり、そのストロボ３１ｃがその光出射面が天井方向に向いて垂直となるように配置している場合を示している。
【００９７】
被撮影者４を照明する照明手段２１からの光束としては、複数のストロボから出射し天井（拡散面となっているか又は塗料が施されている）で反射した後拡散板２４を通過した拡散光である。
【００９８】
尚、本実施形態においても、実施形態１と同様に天井に設けた拡散板２４の一部を図５（Ａ）に示すような遮光部材２５でおおい、拡散板２４からの拡散光が直接、被撮影者４に照射されないようにして、被撮影者に柔らかい光が照射されるようにして良好なる画質の写真を得ている。
【００９９】
本実施形態において複数のストロボのうち、一部のストロボをその光出射面を天井方向に向け、他のストロボをその光出射面を仕切り板（壁）２方向又は仕切り板２とは反対方向に向けて配置しても良い。
【０１００】
本実施形態では入力手段からの入力情報に基づいて複数のストロボの発光状態、例えば発光させるストロボの数又は／及び光射出方向等を制御して被撮影者４の照明条件が可変となるようにしている。
【０１０１】
又、他の照明手段１２、１３を含めて全体として２つの照明手段１１、１２又は３つの照明手段１１、１２、１３とを用いて、照明状態を種々と変えて照明しても良い。
【０１０２】
このとき照明手段１２、１３に用いる発光部は、蛍光灯又はストロボのどちらでも良い。
【０１０３】
以上の各実施形態において撮影室５の側面と背面は拡散面もしくは白色系塗料を施した開閉自在の壁部材又は白色系のカーテン又は白色系のビニールシート等から成っている。
【０１０４】
床は、照明手段からの拡散光が反射して被撮影者４を効率良く照明する為に白色系塗料が施されているか又は拡散面となっている。
【０１０５】
本実施形態によれば、以上のように高度なポートレートライティング技法を導入し、撮影光源、撮影レンズ、画像記録体の組み合わせを適切に設定することにより撮影室５内に連続階調の光を創出し、良好なる画質の人物写真を得ている。
特に所謂ゴールデンタイムの光質で撮影した写真と同様な写真を得ている。
【０１０６】
以上の各実施形態においては撮像手段にビデオカメラを用い静止画の代わりに動画を得るようにしても良い。
【０１０７】
尚以上の各実施形態において被撮影者４の顔の位置する領域に人物以外の物体を置いても良い、これによれば人物写真と同様な良好なる画質の物の写真が得られる。
【０１０８】
本実施形態によれば、以上のように各要素を設定することにより、次のような効果が得られる。
・照明光の照射状態及び照明光の色温度の管理（連続階調の光の照射及び色温度の管理と輝線スペクトルの蛍光灯  の照明条件）を良好に行うことができる。
・連続階調の柔らかい光を容易に創出することができ、より柔らかい光で照明条件をコントロールすることができる。
・被撮影者を左右非対称の所謂ゴールデンタイムの光で照明することができる。
【０１０９】
拡散光のコントロール技術により、撮影室５内の拡散光のバランスを、光源の切り替えにより、簡単に変化させることができる。この方法で、調整した照明条件を被撮影者４が入力手段９より自由に選ぶことができる。
【０１１０】
【発明の効果】
本発明によれば、撮影室５内に位置する被撮影者を被撮影者の好みに合った写真（証明写真、人物写真）が得られる写真撮影装置を作成することができる。
【０１１１】
この他本発明によれば、ポートレートライティング技法を利用することにより、撮影室内に位置する被撮影者を、照度の強弱差が少なく、かつ光強度分布が連続して変化する拡散光、所謂「連続階調のやわらかい光」で照明することにより、良好なる品質の証明写真（人物写真）が容易に得られる写真撮影装置を製作することができる。
【図面の簡単な説明】
【図１】本発明の実施形態１の要部斜視図
【図２】図１の一部分の説明図
【図３】図１の一部分の説明図
【図４】図１の一部分の説明図
【図５】図１の照明手段の説明図
【図６】図１の照明手段の説明図
【図７】図１の照明手段の説明図
【図８】図１の照明手段としてストロボを用いるときのストロボの説明
【図９】本発明の実施形態２の要部斜視図
【図１０】図９の一部分の説明図
【符号の説明】
１          写真撮影装置
２          仕切板
３          ボックス
４          被撮影者
５          撮影室
６          機器格納室
７          窓部
８          撮像手段
９          入力手段
１０        料金納入口
１１        照明手段
１２        照明手段
１３        照明手段
１４        椅子
１５        パソコン
１６        ファン
１７        受け取り口
３１        照明手段
３１ａ〜３１ｄ  ストロボ
９ａ        表示手段
Ｌ１〜Ｌ６  蛍光灯
【図１】
2005055539.tif 000005
【図２】
2005055539.tif 000006
【図３】
2005055539.tif 000007
【図４】
2005055539.tif 000008
【図５】
2005055539.tif 000009
【図６】
2005055539.tif 000010
【図７】
2005055539.tif 000011
【図８】
2005055539.tif 000012
【図９】
2005055539.tif 000013
【図１０】
2005055539.tif 000014